(57)【要約】【課題】  家庭に於て、長期間留守にする間中、テレビを、ＯＮと、ＯＦＦとを交互に繰り返し作動させることで、テレビに、在宅偽装を行う防犯機能を持たせるリモートコントローラを提供することを目的とする。【解決手段】  多機種のテレビ１に対応してテレビ１を遠隔操作できるように設定可能である。そして、テレビ１をＯＮとＯＦＦに交互に繰り返させる制御信号３をテレビ１に送信するＯＮ・ＯＦＦ制御手段４を、備えている。かつ、ＯＮ・ＯＦＦ制御手段４は、ＯＮ・ＯＦＦ切換に於いて隣り合うＯＦＦ状態のＯＦＦ時間長さが相違するように、設定されている。しかも、ＯＮ・ＯＦＦ制御手段４は、複数回のＯＦＦ状態を１サイクルＴとして周期的に繰り返すように、設定されている。【選択図】  図１
2006157552.tif 000002
【特許請求の範囲】
【請求項１】
多機種のテレビ（１）に対応して該テレビ（１）を遠隔操作できるように設定可能なリモートコントローラであって、
上記テレビ（１）をＯＮとＯＦＦに交互に繰り返させる制御信号（３）を該テレビ（１）に送信するＯＮ・ＯＦＦ制御手段（４）を、備えたことを特徴とするリモートコントローラ。
【請求項２】
上記ＯＮ・ＯＦＦ制御手段（４）は、上記ＯＮ・ＯＦＦ切換に於いて隣り合うＯＦＦ状態のＯＦＦ時間長さ（Ｔ1 )(Ｔ1 ）が相違するように、設定された請求項１記載のリモートコントローラ。
【請求項３】
上記ＯＮ・ＯＦＦ制御手段（４）は、複数回の上記ＯＦＦ状態を１サイクル（Ｔ）として周期的に繰り返すように、設定された請求項２記載のリモートコントローラ。
【請求項４】
留守中の家庭に於て、多機種のテレビ（１）に合わせて遠隔操作できるように設定されるリモートコントローラ（２）に内蔵されたＯＮ・ＯＦＦ制御手段（４）によって、自動的に、上記テレビ（１）をＯＮとＯＦＦに交互に切換えて、在宅偽装を行うことを特徴とする家庭用防犯方法。
【請求項５】
上記ＯＮ・ＯＦＦ制御手段（４）は、上記ＯＮ・ＯＦＦ切換に於いて隣り合うＯＦＦ状態のＯＦＦ時間長さ（Ｔ1 )(Ｔ1 ）が相違するように、設定された請求項４記載の家庭用防犯方法。
【発明の詳細な説明】
【技術分野】
【０００１】
本発明は、家庭に於て、普段観ているテレビに防犯機能を持たせるリモートコントローラ、及び、防犯方法に関するものである。
【背景技術】
【０００２】
従来、自動電源ＯＦＦ機能を備えたテレビを、リモートコントローラによって操作して、ＯＦＦ時間タイマー設定するものが知られている（例えば、特許文献１参照）。
【特許文献１】特開平５−２２６７６号公報
【発明の開示】
【発明が解決しようとする課題】
【０００３】
このテレビは、自動電源ＯＦＦの設定状態にされた後で、リモートコントローラによる操作によって、（ＯＦＦになるまでの）タイマー残量時間が画面上に表示されて、確認することができる。
家庭に於て、留守にする場合に、テレビが自動電源ＯＦＦとなるようにタイマー設定しておけば、出掛けた後、ある一定時間の間は、テレビを電源ＯＮの状態にしておくことができ、人が家の中に居るように思わせる（在宅偽装を行う）ことができる。
しかし、テレビが一旦電源ＯＦＦの状態になると、その後、自動的にＯＮとはならないので、長期間留守にする場合には、自動電源ＯＦＦになった後はテレビによる在宅偽装を行うことができず、留守中であることが、外部から判ってしまう。このため、空き巣に狙われ、入られ易い。
【０００４】
そこで、本発明は、家庭に於て、長期間留守にする間中、テレビを、ＯＮと、ＯＦＦとを交互に繰り返し作動させることで、テレビに、在宅偽装を行う防犯機能を持たせるリモートコントローラ及び家庭用防犯方法を提供することを目的とする。
【課題を解決するための手段】
【０００５】
上記の目的を達成するために、本発明に係るリモートコントローラは、多機種のテレビに対応して該テレビを遠隔操作できるように設定可能なものであって、上記テレビをＯＮとＯＦＦに交互に繰り返させる制御信号を該テレビに送信するＯＮ・ＯＦＦ制御手段を、備えている。
【０００６】
また、上記ＯＮ・ＯＦＦ制御手段は、上記ＯＮ・ＯＦＦ切換に於いて隣り合うＯＦＦ状態のＯＦＦ時間長さが相違するように、設定された。
さらに、上記ＯＮ・ＯＦＦ制御手段は、複数回の上記ＯＦＦ状態を１サイクルとして周期的に繰り返すように、設定された。
【０００７】
また、本発明に係る家庭用防犯方法は、留守中の家庭に於て、多機種のテレビに合わせて遠隔操作できるように設定されるリモートコントローラに内蔵されたＯＮ・ＯＦＦ制御手段によって、自動的に、上記テレビをＯＮとＯＦＦに交互に切換えて、在宅偽装を行う方法である。
また、上記ＯＮ・ＯＦＦ制御手段は、上記ＯＮ・ＯＦＦ切換に於いて隣り合うＯＦＦ状態のＯＦＦ時間長さが相違するように、設定されている。
【発明の効果】
【０００８】
本発明は、次のような著大な効果を奏する。
家庭に於て、リモートコントローラをＯＮ・ＯＦＦ制御手段に設定して、テレビに向けておけば、外出して留守にしている間に、テレビを自動的にＯＮ・ＯＦＦに交互に切換えることができ、外部の人間に対し、家の中に人が居て操作しているかのように見せる（在宅偽装を行う）ことができるので、空き巣に入られる心配がない。
しかも、このリモートコントローラは、多機種のテレビに対応して遠隔操作できるように設定可能なので、わざわざテレビを買い換えなくても、各家庭で使用中のテレビに、防犯機能を持たせることができる。
しかも、ＯＮ・ＯＦＦ切換に於いて隣り合うＯＦＦ状態のＯＦＦ時間長さが相違するように、設定されているので、ＯＦＦ時間長さが一定に設定される場合に比べて、実際に人がテレビをＯＮ・ＯＦＦ切換しているかのように、外部の人間に強く思わせることができ、強力な在宅偽装状態を演出できる。
【発明を実施するための最良の形態】
【０００９】
以下、実施の形態を示す図面に基づき、本発明を詳説する。
図１，図２は本発明に係るリモートコントローラの実施の一形態を示し、このリモートコントローラ２は、多機種の（様々な製造メーカーや機種の）テレビ１やビデオデッキ５に対応して、これらを遠隔操作できるように設定可能である。
そして、このリモートコントローラ２は、テレビ１をＯＮとＯＦＦに交互に繰り返させる制御信号３をテレビ１に送信するＯＮ・ＯＦＦ制御手段４を、備えている（図４，図５参照）。
具体的に説明すると、リモートコントローラ２は、帯板状のリモートコントローラ本体20を有し、この本体20の表面には、時刻や（後述する）タイマー設定時間等を表示するための（液晶）表示部26と、テレビ１の音量やテレビ１・ビデオデッキ５の選局をするための音量・選局操作（ボタン）部24と、１から12までのチャンネルボタンから成るチャンネル操作（ボタン）部22と、ビデオデッキ５の録画・再生・停止・早送り・早戻しを行うための機能ボタンから成るビデオ操作（ボタン）部23と、テレビ１（ＢＳ放送）・ビデオデッキ５を各々入切する電源ＯＮ・ＯＦＦ操作部25と、設定完了等を知らせる発光ダイオード等のインジケータ部28と、が備えられる。
【００１０】
さらに、リモートコントローラ２は、テレビ１を設定された時間経過後に自動ＯＮさせる自動ＯＮタイマー手段６と、設定された時間経過後に自動ＯＦＦさせる自動ＯＦＦタイマー手段７と、を内蔵する（図５参照）。
かつ、リモートコントローラ２は、自動ＯＮタイマー手段６と、自動ＯＦＦタイマー手段７と、上記ＯＮ・ＯＦＦ制御手段４と、に択一的に設定するための切換手段９を有し、この切換手段９は、本体20の表面に備えられＡ，Ｂ，Ｃ，Ｄで夫々表示される４つのボタンを有する設定操作部21から、成る。
また、リモートコントローラ２は、本体20の先端部に設けられテレビ１やビデオデッキ５の受信部11に操作信号や制御信号３等を送信するための（発光ダイオード等から成る）発信部10を、有する。
27は、リモートコントローラ本体20の基端側が差し込まれてスタンド状態に保持する差込保持部27ａを有するスタンド体である。
【００１１】
次に、図４に於て、図１，図２に示すリモートコントローラ２をＯＮ・ＯＦＦ制御手段４に切換えてテレビ１を制御する場合の、テレビ１の（ＯＦＦ状態の）ＯＦＦ時間長さＴ1 と、（ＯＮ状態の）ＯＮ時間長さＴ2 との関係について、説明する。
先ず、図４（Ａ）では、ＯＮ・ＯＦＦ制御手段４は、隣り合うＯＦＦ時間長さＴ1 ，Ｔ1 が相違すると共にＯＮ時間長さＴ2 が一定の長さで繰り返されるように、設定されている。かつ、一対のＯＦＦ時間長さＴ1 ，Ｔ1 と、夫々のＯＦＦ状態から切換わる一対のＯＮ時間長さＴ2 ，Ｔ2 と、から一つのサイクルＴが構成され、周期的に繰り返される。
例えば、ＯＮ時間長さＴ2 を、30分間に設定し、隣り合う一対のＯＦＦ時間長さＴ1 ，Ｔ1 を、夫々、15分間，45分間に設定する。
あるいは、図示省略するが、３連続以上隣り合って長さが相違するＯＦＦ時間長さＴ1 …と、それらに対応するＯＮ時間長さＴ2 …と、から１サイクルＴを構成してもよい。
【００１２】
次に、図４（Ｂ）は、ＯＮ・ＯＦＦ制御手段４の設定の比較例を示し、隣り合うＯＦＦ時間長さＴ1 ，Ｔ1 が相違すると共に隣り合うＯＮ時間長さＴ2 ，Ｔ2 が相違するように、設定されている。かつ、４連続の長さの相違するＯＦＦ時間長さＴ1 …と、夫々に対応する４連続の長さの相違するＯＮ時間長さＴ2 …と、から１サイクルＴが構成される。例えば、１サイクルＴに於て、４連続のＯＮ時間長さＴ2 …を夫々15，45，10，30分間に設定し、４連続のＯＦＦ時間長さＴ1 …を夫々30，15，45，15分間に設定する。
また、所望により、リモートコントローラ２に、ＯＦＦ時間長さＴ1 ・ＯＮ時間長さＴ2 を調節自在としてＯＮ・ＯＦＦ制御手段４を制御するタイマー調節手段８を、内蔵してもよい（図５参照）。
【００１３】
次に、リモートコントローラ２の使用方法及び作用について説明する。
先ず、各家庭のテレビ１（ビデオデッキ５）を遠隔操作できるように、設定する。
具体的には、図１，図２に於て、各家庭のテレビ１（ビデオデッキ５）の受信部11にリモートコントローラ２の発信部10を向けて、リモートコントローラ２の電源ＯＮ・ＯＦＦ操作部25のＴＶボタン（ＶＴＲボタン）を押し続けながら、チャンネル操作部22のチャンネルボタンを、製造メーカーや機種に応じた（具体的番号の説明は省略する）番号順に押す。その後ＴＶボタン（ＶＴＲボタン）から指を離せば、本発明のリモートコントローラ２で各家庭のテレビ１（ビデオデッキ５）を遠隔操作できるように、設定完了となる。
【００１４】
在宅の場合は、リモートコントローラ２の電源ＯＮ・ＯＦＦ操作部25のＴＶボタンを押せばテレビ１の電源がＯＮになり、チャンネル操作部22や音量・選局操作部24を操作して通常使用する。あるいは、操作部25のＶＴＲボタンを押せば、ビデオデッキ５の電源がＯＮになり、ビデオ操作部23等を操作して通常使用する。
【００１５】
また、図１〜図５に於て、設定操作部21（切換手段９）のボタンのうち、Ｃ，Ｄボタンを同時に押すと、リモートコントローラ２は、ＯＮ・ＯＦＦ制御手段４に設定される。
家を長期間留守にする場合は、このようにリモートコントローラ２をＯＮ・ＯＦＦ制御手段４に設定して、約７ｍ以内の距離で、リモートコントローラ２の発信部10をテレビ１の受信部11に向けた状態にした後で、出掛ける。
設定完了後は、テレビ１はＯＮとなる（図３（Ａ）参照）。そして、所定のＯＮ時間長さＴ2 が経過すると、（ＯＦＦに切換えるための）制御信号３が、発信部10からテレビ１の受信部11に発信されて、テレビ１がＯＦＦになる（図３（Ｂ）参照）。その後、所定のＯＦＦ時間長さＴ1 が経過すると、（ＯＮに切換えるための）制御信号３が、発信部10からテレビ１の受信部11に発信されて、テレビ１がＯＮになる（図３（Ａ）参照）。テレビ１は、図４に示すようにＯＮとＯＦＦとを繰り返す。
このように、留守中の家に於て、自動的に、テレビ１がＯＮとＯＦＦに交互に切換わり、まるで、家の中で人がテレビ１をＯＮ・ＯＦＦさせているかのような印象を、外部の人間に与えることができる。即ち、在宅偽装状態を巧妙に演出することができる。
しかも、図４で既述したように、隣り合うＯＦＦ時間長さＴ1 ，Ｔ1 が相違するように切換わるので、ＯＦＦ時間長さＴ1 が一定の場合に比べて、部屋内で実際に人がＯＮ・ＯＦＦ切換をしているような印象を、一層強く与えられる。つまり、一層強力な在宅偽装状態が演出される。
また、図４（Ａ）のように、ＯＮ時間長さＴ2 …を（30分間等のように）一定とするように設定すれば、まるで、30分番組を観終わる度にテレビ１をＯＦＦにしているかのような印象を、外部に与えられ、一方、図４（Ｂ）のように、隣り合うＯＮ時間長さＴ2 ，Ｔ2 を相違するように設定すれば、様々な放映時間の番組を見ているかのような印象を、外部に与えられる。いずれにしても、外部に対し、強力な在宅偽装状態が演出される。
【００１６】
なお、図１，図２及び図５に於て、設定操作部21（切換手段９）のボタンのうち、Ａ，Ｃボタンを同時に押せば、自動ＯＮタイマー手段６に設定される。そして、チャンネル操作部22のチャンネルボタンを押して、ＯＮにしたい時刻を、表示部26で確認しながら設定すれば、その時刻になると、リモートコントローラ２の発信部10からテレビ１の受信部11に信号が送信されて、テレビ１が自動的にＯＮとなる。
あるいは、Ａ，Ｄボタンを同時に押せば、自動ＯＦＦタイマー手段７に設定される。そして、Ａ，Ｄボタンを同時に押す度にＯＦＦとなる時間が（30分単位で）変化し、表示部26で確認しながら設定する。設定した時間が経過すると、リモートコントローラ２の発信部10からテレビ１の受信部11に信号が送信されて、テレビ１が自動的にＯＦＦとなる。
リモートコントローラ２を、自動ＯＮタイマー手段６，自動ＯＦＦタイマー手段７のどちらに設定した場合も、約７ｍ以内の距離で、発信部10をテレビ１の受信部11に向けた状態にしておくことが必要である。
また、自動ＯＮタイマー手段６，自動ＯＦＦタイマー手段７，ＯＮ・ＯＦＦ制御手段４に切換える際に、設定操作部21（切換手段９）の（Ａ〜Ｄの）ボタンを押す既述の組合わせは一例であり、組合わせは設計変更自在である。
【００１７】
以上のように、本発明に係るリモートコントローラは、多機種のテレビ１に対応してテレビ１を遠隔操作できるように設定可能なものであって、テレビ１をＯＮとＯＦＦに交互に繰り返させる制御信号３をテレビ１に送信するＯＮ・ＯＦＦ制御手段４を、備えているので、家庭に於て、リモートコントローラをＯＮ・ＯＦＦ制御手段４に設定して、テレビ１に向けておけば、外出して留守にしている間に、テレビ１を自動的にＯＮ・ＯＦＦに交互に切換えることができ、外部の人間に対し、家の中に人が居て操作しているかのように見せる（在宅偽装を行う）ことができるので、空き巣に入られる心配がない。
しかも、このリモートコントローラは、多機種のテレビ１に対応して遠隔操作できるように設定可能なので、わざわざテレビ１を買い換えなくても、各家庭で使用中のテレビ１に、防犯機能を持たせることができる。
【００１８】
また、ＯＮ・ＯＦＦ制御手段４は、ＯＮ・ＯＦＦ切換に於いて隣り合うＯＦＦ状態のＯＦＦ時間長さＴ1 ，Ｔ1 が相違するように、設定されているので、ＯＦＦ時間長さＴ1 …が一定に設定される場合に比べて、実際に人がテレビ１をＯＮ・ＯＦＦ切換しているかのように、外部の人間に強く思わせることができ、強力な在宅偽装状態を演出できる。
【００１９】
しかも、ＯＮ・ＯＦＦ制御手段４は、複数回のＯＦＦ状態を１サイクルＴとして周期的に繰り返すように、設定されているので、例えば、ＯＦＦ状態が長く続き過ぎてしまうというような心配がなく、確実に在宅偽装状態を演出できる。
【００２０】
また、本発明に係る家庭用防犯方法は、留守中の家庭に於て、多機種のテレビ１に合わせて遠隔操作できるように設定されるリモートコントローラ２に内蔵されたＯＮ・ＯＦＦ制御手段４によって、自動的に、テレビ１をＯＮとＯＦＦに交互に切換えて、在宅偽装を行う方法なので、わざわざテレビ１を買い換えなくても、各家庭で使用中のテレビ１に、防犯機能を持たせることができる。
そして、テレビ１をＯＮとＯＦＦに交互に切換えることで、外部の人間に対し、家の中に人が居て操作しているかのように強力に思わせる（在宅偽装を行う）ことができ、空き巣に入られる心配がない。
【００２１】
そして、ＯＮ・ＯＦＦ制御手段４は、ＯＮ・ＯＦＦ切換に於いて隣り合うＯＦＦ状態のＯＦＦ時間長さＴ1 ，Ｔ1 が相違するように、設定されているので、ＯＦＦ時間長さＴ1 …が一定に設定される場合に比べて、実際に人がテレビ１をＯＮ・ＯＦＦ切換しているかのように、外部の人間に強く思わせることができ、強力な在宅偽装状態を演出できる。
【図面の簡単な説明】
【００２２】
【図１】本発明に係るリモートコントローラ及び家庭用防犯方法の実施の一形態を示す斜視図である。
【図２】要部正面図である。
【図３】説明用簡略図であって、（Ａ）はテレビがＯＮの状態を示す説明用簡略図で、（Ｂ）はテレビがＯＦＦの状態を示す説明用簡略図である。
【図４】ＯＮ・ＯＦＦ状態を示す説明用グラフ図であって、（Ａ）はＯＮ時間長さが一定の場合を示す説明用グラフ図で、（Ｂ）は隣り合うＯＮ時間長さが相違する場合を示す説明用グラフ図である。
【図５】説明用ブロック図である。
【符号の説明】
【００２３】
１  テレビ
２  リモートコントローラ
３  制御信号
４  ＯＮ・ＯＦＦ制御手段
Ｔ  サイクル
Ｔ1   ＯＦＦ時間長さ
【図１】
2006157552.tif 000003
【図２】
2006157552.tif 000004
【図３】
2006157552.tif 000005
【図４】
2006157552.tif 000006
【図５】
2006157552.tif 000007